(57)【特許請求の範囲】
【請求項１】
リング本体（６１）に、静止部材に摺動する第１キー手段（６２）（６２）と、可動スクロール（３）に摺動する第２キー手段（６３）（６３）とを設けたスクロール型流体機械の自転防止機構において、
前記リング本体（６１）の一側端面を静止部材に設ける受座（４３）に接触させて、前記リング本体（６１）を前記可動スクロール（３）の鏡板（３１）背面よりも下方に位置させ、
前記リング本体（６１）における反受座側の端面に凸体（６５）（６５）を設け、
前記受座（４３）と対向する静止部材に、前記凸体（６５）（６５）に設けた可接触頂面（６４）に近接する対向受座（２４）を設け、
前記受座（４３）と前記対向受座（２４）との間のクリアランスの範囲内で前記リング本体（６１）の軸方向移動を規制することで、前記リング本体（６１）を前記可動スクロール（３）の前記鏡板（３１）に非接触とし、
前記凸体（６５）が前記第２キー手段（６３）（６３）からなり、前記第２キー手段（６３）（６３）に前記可接触頂面（６４）を設けていることを特徴とする、スクロール型流体機械の自転防止機構。
【請求項２】
前記対向受座（２４）を、固定スクロール（２）の渦巻体（２３）と同一高さに形成された端面としたことを特徴とする、請求項１記載のスクロール型流体機械の自転防止機構。
【請求項３】
前記凸体（６５）における前記リング本体（６１）の中心側に臨む内方側エッジ部に盗み部（６６）を設けている、請求項１または２に記載のスクロール型流体機械の自転防止機構。
【発明の詳細な説明】
【０００１】
【発明の属する技術分野】
リング本体に、静止部材に摺動する第１キー手段と、可動スクロールに摺動する第２キー手段とを設けたスクロール型流体機械の自転防止機構に関する。
【０００２】
【従来の技術】
従来、リング本体に、静止部材、例えばハウジングに摺動する第１キー手段と、可動スクロールに摺動する第２キー手段とを設けたスクロール型流体機械の自転防止機構としては、特開平３−３７０８０号公報に記載されたものが知られている。
【０００３】
従来のスクロール型流体機械におけるリング本体に第１キー手段と第２キー手段とを備える自転防止機構としては、図９に示すように、ケーシングＡ内に内装するハウジングＢの上部に設けるスラスト受面Ｃに、固定スクロールＤに噛み合う可動スクロールＥの裏面を支持すると共に、該ハウジングＢにおけるスラスト受面Ｃの外方に、自転防止機構を構成するオルダムリングＦのリング本体Ｇを摺動可能に支持する環状の受座Ｈを設けている。
【０００４】
そして、前記ハウジングＢにおける受座Ｈに、径方向に延びる第１キー溝Ｊを設け、また、可動スクロールＥの外周部に、前記第１キー溝Ｊと直交状に延びる第２キー溝Ｋを形成しており、これら各キー溝Ｊ，Ｋに係合する第１及び第２キー手段Ｌ，Ｍをもつリング本体Ｇを前記ハウジングＢの受座Ｈに配設することにより、駆動軸Ｎの回転により可動スクロールＥがスラスト受面Ｃで自転することなく旋回運動できるようにしている。
【０００５】
【発明が解決しようとする課題】
ところで、以上の構成では、オルダムリングＦを前記受座Ｈにおいて摺動可能に配設しているため、運転中にオルダムリングＦのばたつきが生じ易く、このばたつきによるキー部のこじりや振動による騒音の発生を防止するために、オルダムリングＦのリング本体ＧをハウジングＢの受座Ｈと可動スクロールＥの裏面とで挟み込んでいたが、可動スクロールＥがハウジングＢのスラスト受面Ｃと固定スクロールＤの間のクリアランスの範囲内で動くため、オルダムリングの動きを規制するクリアランスが運転中に変化し、可動スクロールＥの動きにともなってオルダムリングＦが動き、依然として騒音が発生していた。
【０００６】
本発明は、以上の問題に鑑みてなしたもので、その目的は、自転防止機構のリング本体のばたつきを確実に低減することができるスクロール型流体機械の自転防止機構を提供することにある。
【０００７】
【課題を解決するための手段】
上記目的を達成するため、請求項１記載の発明は、リング本体６１に、静止部材に摺動する第１キー手段６２、６２と、可動スクロール３に摺動する第２キー手段６３、６３とを設けたスクロール型流体機械の自転防止機構において、リング本体６１の一側端面を静止部材に設ける受座４３に接触させて、リング本体６１を可動スクロール３の鏡板３１背面よりも下方に位置させ、リング本体６１における反受座側の端面に凸体６５、６５を設け、受座４３と対向する静止部材に、凸体６５、６５に設けた可接触頂面６４に近接する対向受座２４を設け、受座４３と対向受座２４との間のクリアランスの範囲内でリング本体６１の軸方向移動を規制することで、リング本体６１を可動スクロール３の鏡板３１に非接触とし、凸体６５を第２キー手段６３，６３により構成し、この第２キー手段６３，６３に可接触頂面６４を設けたのである。
【０００８】
請求項１記載の発明によれば、リング本体６１を静止部材の受座４３に接触させてリング本体６１を可動スクロール３の鏡板３１背面よりも下方に位置させると共に、このリング本体６１に設ける凸体６５の可接触頂面６４を静止部材の対向受座２４に近接させ、受座４３と対向受座２４との間のクリアランスの範囲内でリング本体６１の軸方向移動を規制して、リング本体６１を可動スクロール３の鏡板３１に非接触としていることで、リング本体６１の軸方向移動が静止部材間の変化のない固定されたクリアランスの範囲内で確実に規制されて、可動スクロール３が軸方向に移動してもリング本体６１のばたつきが抑えられ、騒音を軽減できる。また、受座４３と対向受座２４とのリング本体６１の挟み込みは、可動スクロール３のような移動が起こらない静止部材で行うため、挟み込み公差をできるだけ小さくすることができ、リング本体６１に設ける各キー手段６２，６３のキー溝でのこじりも軽減できて信頼性を向上できる。しかも、凸体６５を別途リング本体６１に形成することなく、第２キー手段６３，６３を利用して形成できるので、大幅な構造変更をすることなく簡単な構造でリング本体６１のばたつきを軽減できる。
【００１１】
請求項２記載の発明では、対向受座２４を、固定スクロール２の渦巻体２３と同一高さに形成された端面としている。
【００１２】
請求項２記載の発明によれば、対向受座２４を、固定スクロール２の渦巻体２３と同一高さに形成された端面としたことで、高さの調整や鏡面仕上げ加工も容易に行うことができる。
【００１３】
請求項３記載の発明では、リング本体６１の中心側に臨む凸体６５における内方側エッジ部に盗み部６６を設けたのである。
【００１４】
請求項３記載の発明によれば、可動スクロール３と接触しないようにリング本体６１の摺動量に合わせて凸体６５に盗み部６６を形成することにより、リング本体６１の外径が大きくなり過ぎることなく、凸体６５を設けることができる。
【００１５】
【実施例】
本発明の第一実施例について、図１乃至図４に基づいて説明する。図１及び図２に示すスクロール型流体機械は、低圧ドーム型のスクロール形圧縮機で、密閉ケーシング１の内部上方に圧縮要素ＣＦを、ケーシング１の内部下方にモータＭを内装しており、前記圧縮要素ＣＦは、上下対向状に配設される固定スクロール２と可動スクロール３とから成り、前記固定スクロール２を静止部材であるハウジング４にボルトＢを介して固定し、該ハウジング４の上面側に設けるスラスト受面４１に、前記可動スクロール３の鏡板３１背面側を回動自由に支持すると共に、前記可動スクロール３を前記モータＭの駆動軸５に連動させる一方、前記ケーシング１の内部で前記固定スクロール２の上部側に、該固定スクロール２に形成する吐出口２１が開口し、かつ、吐出冷媒をケーシング外部に吐出する外部吐出管１１を開口させる高圧室１３を前記固定スクロール２の鏡板２２により区画形成すると共に、前記固定スクロール２の下部側に、吸入管１２が開口し、モータＭを配設する低圧室１４を区画形成している。
【００１６】
従って、前記モータＭの駆動に伴う前記駆動軸５の回転により前記可動スクロール３が自転防止機構を介して前記固定スクロール２に対して公転駆動し、この公転駆動で前記吸入管１２から前記低圧室１４内に吸入された低圧ガスが前記各スクロール２，３で形成される圧縮室内に吸入され、この吸入されたガスが圧縮されて、この圧縮ガスが前記吐出口２１から前記高圧室１３に吐出され、前記外部吐出管１１からケーシング１外部に吐出されるのである。
【００１７】
また、前記ハウジング４の上面側で、前記スラスト受面４１の外方に、該スラスト受面４１よりも下方に位置する自転防止機構におけるオルダムリング６のリング本体６１の一側端面を接触させる環状の受座４３を設け、この受座４３に一対の第１キー溝４２，４２を直径方向に対向させて設ける一方、前記可動スクロール３の外周部位で前記各第１キー溝４２，４２を結ぶ線と直交方向に、一対の第２キー溝３２，３２をそれぞれ設けている。
【００１８】
そして、図２及び図３に示すように、前記オルダムリング６は、環状の前記リング本体６１における前記ハウジング４との対向面となる一方の面に、該ハウジング４の第１キー溝４２，４２に摺動可能に係合する一対の前記第１キー手段６２，６２を突設し、図１及び図３に示すように、前記リング本体６１の前記可動スクロール３との対向面となる他方の面に、可動スクロール３の第２キー溝３２，３２に摺動可能に係合し、前記各第１キー手段６２，６２を結ぶ線と直交方向に位置するように一対の第２キー手段６３，６３を突設して、リング本体６１を、前記可動スクロール３の鏡板３１背面よりも下方に位置させて、可動スクロール３の鏡板３１に非接触となるように前記受座４３に配設し、前記オルダムリング６により前記可動スクロール３の自転を阻止し、該可動スクロール３を前記固定スクロール２に対し公転駆動させる自転防止機構を構成している。
【００１９】
しかして、以上のスクロール形圧縮機において、前記リング本体６１における反受座側の端面に、前記受座４３と対向する静止部材側の対向受座２４に近接する可接触頂面６４をもつ凸体６５を設けたのである。
【００２０】
具体的には、可動スクロール３の鏡板外周部に、二又状の一対の第２キー溝３２，３２を形成するのであって、これら第２キー溝３２，３２を軸方向に貫通させると共に、図４に示すように、前記ハウジング４の受座４３と対向する静止部材側の対向受座２４は、固定スクロール２の鏡板２２における渦巻体２３形成側に突設され、前記受座４３と対向し、かつ、可動スクロール３の第２キー溝３２，３２と対向する位置において渦巻体２３の最外周から連続して径方向外方に向かって延び、該渦巻体２３と同一高さを有する一対の凸壁２５，２５を形成して、該凸壁２５，２５の端面を対向受座２４と成している。このとき、対向受座２４は、渦巻体２３と連続させているので、高さの調整や鏡面仕上げ加工も容易に行える。
【００２１】
そして、図３に示すように、リング本体６１に突設する各第２キー手段６３，６３により前記凸体６５を形成し、第２キー手段６３，６３の頂面に可接触頂面６４を設けるのであり、第２キー手段６３，６３のリング本体６１端面からの高さは、リング本体６１を受座４３に接触させて配設したとき第２キー手段６３，６３の可接触頂面６４が固定スクロール２の対向受座２４の端面に摺動可能なわずかの隙間を介して近接する高さとしている。
【００２２】
以上のように、、第一実施例では、前記リング本体６１を静止部材であるハウジング４の受座４３に接触させると共に、このリング本体６１に設ける第２キー手段６３，６３により形成する凸体６５の可接触頂面６４を固定スクロール２に形成した対向受座２４に近接させているので、リング本体６１が軸方向に移動したときには、わずかな移動で対向受座２４に接触し、軸方向移動が阻止される。
【００２３】
従って、リング本体６１の軸方向移動がハウジング４と固定スクロール２との静止部材間に形成される固定クリアランスの範囲内で確実に規制されるので、可動スクロール３が軸方向に移動してもリング本体６１のばたつきが抑えられ、騒音を軽減できる。
【００２４】
また、受座４３と対向受座２４とのリング本体６１の挟み込みは、可動スクロール３のような移動が起こらないハウジング４と固定スクロール２との静止部材で行うため、挟み込み交差をできるだけ小さくすることができ、リング本体６１に設ける各キー手段６２，６３のキー溝でのこじりも軽減できて信頼性を向上できる。
【００２５】
また、凸体６５を別途リング本体６１に形成することなく、第２キー手段６３，６３を利用して形成できるので、大幅な構造変更をすることなく簡単な構造でリング本体６１のばたつきを軽減できる。
【００２６】
尚、凸体６５は、第２キー手段６３，６３とを別個にリング本体６１に突設しても差し支えない。
【００２７】
さらに、凸体６５には、図５に示す第二実施例のように、凸体６５における前記リング本体６１の中心側に臨む内方側エッジ部に段部からなる盗み部６６を設けてもよい。
【００２８】
つまり、可動スクロール３に設ける第２キー溝３２，３２を、固定スクロール２に形成する対向受座２４との対向部分だけ貫通させると共に、凸体６５となる第２キー手段６３，６３のリング本体６１の中心側に臨む内方側エッジ部に、可動スクロール３の鏡板３１と接触しないようにリング本体６１の摺動量に合わせて段部を形成して盗み部６６を形成するのであって、この盗み部６６を形成することにより、リング本体６１の外径が大きくなり過ぎることなく、凸体６５を設けることができる。
【００２９】
以上の実施例は、低圧ドーム型のスクロール型流体機械に対応したものであるが、高圧ドーム型のスクロール型流体機械における第三実施例について図６乃至図８に基づいて説明する。
【００３０】
第三実施例は、ケーシング１内に外部吐出管１１及び固定スクロール２の吐出口２１を開口させて、ケーシング１内を高圧状態とすると共に、固定スクロール２及びハウジング４により高圧雰囲気から隔離した吸入室１５を形成するのであって、固定スクロール２に直接吸入管１２を接続している。
【００３１】
そして、固定スクロール２の上方に形成する吐出口２１が開口する吐出チャンバー１６とモータＭを内装し、外部吐出管１１が開口するモータ室１７とを連通する連通路１８を前記固定スクロール２とハウジング４とに形成している。
【００３２】
従って、前記モータＭの駆動に伴う前記駆動軸５の回転により前記可動スクロール３が自転防止機構を介して前記固定スクロール２に対して公転駆動し、この公転駆動で前記吸入管１２から前記吸入室１５内に吸入された低圧ガスが前記各スクロール２，３で形成される圧縮室内に吸入され、この吸入されたガスが圧縮されて、この圧縮ガスが前記吐出口２１から前記吐出チャンバー１６に吐出され、前記連通路１８を介してモータ室１７に送られ、前記外部吐出管１１からケーシング１外部に吐出されるのである。
【００３３】
また、第三実施例も、前記ハウジング４の上面側で、前記スラスト受面４１の外方に、該スラスト受面４１よりも下方に位置する自転防止機構におけるオルダムリング６のリング本体６１の一側端面を接触させる環状の受座４３を設け、この受座４３に一対の第１キー溝４２，４２を直径方向に対向させて設ける一方、前記可動スクロール３の外周部位で前記各第１キー溝４２，４２を結ぶ線と直交方向に、一対の第２キー溝３２，３２をそれぞれ設けている。
【００３４】
そして、第１実施例で示した図３のオルダムリング６と同様、前記オルダムリング６は、前記リング本体６１における前記ハウジング４との対向面となる一方の面に、該ハウジング４の第１キー溝４２，４２に摺動可能に係合する一対の前記第１キー手段６２，６２を突設し、前記リング本体６１の前記可動スクロール３との対向面となる他方の面に、可動スクロール３の第２キー溝３２，３２に摺動可能に係合し、前記各第１キー手段６２，６２を結ぶ線と直交方向に位置するように一対の第２キー手段６３，６３を突設して、図６及び図７に示すように、リング本体６１を、前記可動スクロール３の鏡板３１背面よりも下方に位置させて、可動スクロール３に非接触となるように前記受座４３に配設し、前記オルダムリング６により前記可動スクロール３の自転を阻止し、該可動スクロール３を前記固定スクロール２に対し公転駆動させる自転防止機構を構成している。
【００３５】
さらに、可動スクロール３の鏡板外周部に、二又状の一対の第２キー溝３２，３２を形成するのであって、これら第２キー溝３２，３２を軸方向に貫通させると共に、図８に示すように、前記ハウジング４の受座４３と対向する静止部材側の対向受座２４は、固定スクロール２の鏡板２２外周部全周に亘り渦巻体２３形成側に突設され、かつ、渦巻体２３と同一高さを有し、ハウジング４に当接する筒状の凸壁２５を形成して、該凸壁２５，２５の端面におけるオルダムリング６の第２キー手段６３，６３との対向部（図８の斜線部分）を対向受座２４と成すのである。
【００３６】
このとき、対向受座２４は、ハウジング４に当接させる凸壁２５を利用するので、固定スクロール２を設計変更することなく、対向受座２４を形成できる。
【００３７】
そして、リング本体６１に突設する各第２キー手段６３，６３により前記凸体６５を形成し、第２キー手段６３，６３の頂面に可接触頂面６４を設けるのであり、第２キー手段６３，６３のリング本体６１端面からの高さは、リング本体６１を受座４３に接触させて配設したとき第２キー手段６３，６３の可接触頂面６４が固定スクロール２の対向受座２４の端面に摺動可能なわずかの隙間を介して近接する高さとしている。
【００３８】
以上のように、第三実施例の高圧ドーム型のスクロール型流体機械においても、ハウジング４の受座４３と固定スクロール２の凸壁２５に形成する対向受座２４とによりリング本体６１の軸方向移動を規制できるのであり、高圧ドームの場合は、対向受座２４を固定スクロール２の筒状凸壁２５を利用できるので、それだけ製造を容易に行えるのである。
【図面の簡単な説明】
【図１】本発明の第一実施例で、スクロール型流体機械の自転防止機構を有するスクロール型流体機械の一部切欠縦断面図。
【図２】同第一実施例の図１におけるＡ−Ａ線断面図。
【図３】本発明の自転防止機構のオルダムリングで上面図、側面図、下面図を示す。
【図４】同第一実施例における固定スクロールを渦巻体形成側から見た図。
【図５】本発明の第二実施例で、スクロール型流体機械の自転防止機構の要部断面図。
【図６】本発明の第三実施例で、スクロール型流体機械の自転防止機構を有するスクロール型流体機械の一部切欠縦断面図。
【図７】同第三実施例の図６におけるＢ−Ｂ線断面図。
【図８】同第三実施例における固定スクロールを渦巻体形成側から見た図。
【図９】従来のスクロール型流体機械を示す部分断面図。
【符号の説明】
３    可動スクロール
２４  対向受座
４３  受座
６１  リング本体
６２  第１キー手段
６３  第２キー手段
６４  可接触頂面
６５  凸体
６６  盗み部
【図１】
0003668747.tif 000002
【図２】
0003668747.tif 000003
【図３】
0003668747.tif 000004
【図４】
0003668747.tif 000005
【図５】
0003668747.tif 000006
【図６】
0003668747.tif 000007
【図７】
0003668747.tif 000008
【図８】
0003668747.tif 000009
【図９】
0003668747.tif 000010